(57)【要約】      （修正有）【課題】ミラーとしての利用も可能である石鹸入れを提供すること。【解決手段】石鹸を載せ置くための本体下と、当該本体下の上に設置され当該本体下に載せ置かれた石鹸を被覆する本体上とを備える石鹸入れにおいて、前記本体上の上壁に、起倒可能にミラーを設けたことを特徴とする。ミラーを開けた際には下にルーペがしようできるように設置されている。【選択図】図３
0003137748.tif 000002
【実用新案登録請求の範囲】
【請求項１】
石鹸を載せ置くための本体下と、当該本体下の上に設置され当該本体下に載せ置かれた石鹸を被覆する本体上とを備える石鹸入れにおいて、前記本体上の上壁に、起倒可能にミラーを設けたことを特徴とする石鹸入れ。
【請求項２】
前記ミラーはヒンジを介して前記本体上に取り付けられていることを特徴とする請求項１記載の石鹸入れ。
【請求項３】
前記ミラーは、倒れたときにミラー面が前記本体上の上壁と対向するように設けられていることを特徴とする請求項１又は２記載の石鹸入れ。
【請求項４】
前記本体上の上壁に、当該上壁の一部を構成するルーペを設けたことを特徴とする請求項１から３いずれか一記載の石鹸入れ。
【請求項５】
前記ミラーは、倒れたときに前記ルーペと対向するように設けられていることを特徴とする請求項４記載の石鹸入れ。
【考案の詳細な説明】
【技術分野】
【０００１】
本考案は、本体上にミラーを設けた石鹸入れに関するものである。
【背景技術】
【０００２】
例えば、風呂場又は洗面所において、洗髪したり、髪を梳かしたり、髭を剃ったり、或いは化粧を落としたりする場合、ミラーを必要とする場合がある（例えば、特許文献１参照）。
【特許文献１】特開平９−１８７３１７号公報
【考案の開示】
【考案が解決しようとする課題】
【０００３】
このため風呂場又は洗面所においては予めミラーを壁面に設置しておくことが多いが、風呂場等の構造上、ミラーが壁面に設置されていない場合も多い。この場合、ミラーを別途用意しておくことが必要となる。
しかし、別途ミラーを用意するとなれば、風呂場用具や洗面用具の設置場所の他に、風呂場等にミラーの設置場所を特別に確保しなければならないという問題がある。また一方で、手鏡のようなものでは、片方の手でミラーを支えつつ、例えば、髭を剃ったりしなければならないか、或いは、風呂場等に予め置かれた物品によって倒れないようにミラーを支えさせる必要があり、取扱いが煩雑である。
【０００４】
本考案は、かかる問題点に鑑みなされたもので、ミラーとしての利用も可能である石鹸入れを提供することを目的としている。
【課題を解決するための手段】
【０００５】
請求項１記載の考案は、石鹸を載せ置くための本体下と、当該本体下の上に設置され当該本体下に載せ置かれた石鹸を被覆する本体上とを備える石鹸入れにおいて、前記本体上の上壁に、起倒可能にミラーを設けたことを特徴とする石鹸入れである。
【０００６】
請求項２記載の考案は、前記ミラーはヒンジを介して前記本体上に取り付けられていることを特徴とする請求項１記載の石鹸入れである。
【０００７】
請求項３記載の考案は、前記ミラーは、倒れたときにミラー面が前記本体上の上壁と対向するように設けられていることを特徴とする請求項１又は２記載の石鹸入れである。
【０００８】
請求項４記載の考案は、前記本体上の上壁に、当該上壁の一部を構成するルーペを設けたことを特徴とする請求項１から３いずれか一記載の石鹸入れである。
【０００９】
請求項５記載の考案は、前記ミラーは、倒れたときに前記ルーペと対向するように設けられていることを特徴とする請求項４記載の石鹸入れである。
【考案の効果】
【００１０】
本考案によれば、石鹸入れの本体上に設けたミラーを利用することができる。石鹸入れは常時風呂場等に置かれるものであるため、ミラー専用の設置場所は不要である。また、ミラーは本体上に起倒可能に設けられているため、使用時にはミラーを起立させて使用することができるので、髭を剃ったりする場合の取扱いが簡単である。一方、使用後にはミラーを倒して収納できるので、片付けも便利である。さらに、ルーペが設けられている石鹸入れでは、風呂場等で眼鏡やコンタクトを付けなくても、風呂場等に置かれている物品、例えばシャンプーやリンスの容器に書いてある文字等を読むのに便利である。
【考案を実施するための最良の形態】
【００１１】
（石鹸入れの概略構成）
図１は、本実施形態の石鹸入れを示す斜視図、図２は、石鹸入れの断面図、図３は、石鹸入れの使用状態を斜視図、図４は、石鹸入れの使用状態を示す断面図である。
図１及び図２に示すように、本実施形態の石鹸入れ１は本体下（下蓋）２と本体上（上蓋）３とを備え、本体上３にはルーペ４及びミラー６が設けられている。
【００１２】
（本体下及び本体上の構成）
本体下２は、石鹸を載せ置くものであり、特に限定はされないが、ガラス材やプラスチック材で形成されている。
一方、本体上３は、本体下２の上に設置され、本体下２に載せ置かれた石鹸を被覆するものである。この本体上３は、特に制限はされないが、ガラス材やプラスチック材で形成されている。
【００１３】
（ルーペの構成）
ルーペ４は、例えば両凸レンズで光軸方向から見て円板状に形成されている。ルーペ４は、本体上３の上壁の一部を構成している。このルーペ４は、特に限定はされないが、ガラス材や例えばアクリル樹脂などの透明プラスチック材で成形されている。また、本体上３の上壁の表面には、ルーペ４の周囲を取り囲むようにリング状突起物５が形成されている。この突起物５の上面は、ルーペ４の上面よりも上方に突出するように形成されている。このリング状突起物５は、特に限定はされないが、ガラス材や例えばアクリル樹脂などの透明プラスチック材で成形されている。
【００１４】
次に、ルーペ４の本体上３への取付方法の一例について説明すれば、例えば本体上３の上壁に孔を予め形成しておき、その孔に後からルーペ４を設置することによって、ルーペ４は本体上３に取り付けられる。この場合のルーペ４の固定は例えば接着材を用いて行われる。なお、本体上３とルーペ４とが同一材質の場合には一体的に成型することもできる。
また、突起物５の本体上３への取付方法の一例について説明すれば、突起物５は、例えば当該突起物５が本体上３と同一材質の場合には本体上３と一体に成型されるか、後から、例えば接着材により取り付けられる。
【００１５】
（ミラーの構成）
ミラー６は、円形で上記ルーペ４とほぼ同じ大きさに形成されている。ミラー６は、当該ミラー６よりも一回り大きな円形のカバー７にはめ込まれている。すなわち、ミラー６は、外周部及び裏面部がカバー７によって覆われている。この場合のカバーは、特に限定はされないが、プラスチック材又は金属で形成されている。
次に、ミラー６の本体上３への取付方法の一例について説明する。
本体上３には、上記突起物５の外側に軸受部材８が設けられている。軸受部材８は、特に限定はされないが、プラスチック材又は金属で形成されている。この軸受部材８は、中央に位置し突起物５側に向けて開口する「コ」字状の軸受部８ａと、軸受部８ａと一体で当該軸受部８ａの両隣に位置し突起物５に沿って延びる弧状の補強部８ｂ，８ｂとを備えている。後者の補強部８ｂ，８ｂは、文字通り、軸受部８ａを補強するためのものである。
一方、上記カバー７の外周には、当該カバー７の放射方向に突出する突起７ａが設けられている。突起７ａは、特に限定はされないが、カバー７と同じプラスチック材又は金属からなり当該カバー７と一体に成型されることが好ましい。
そして、カバー７の突起７ａには図示しない軸が貫通されており、カバー７は、当該軸の両端で、軸受部材８の軸受部８ａに支持されている。すなわち、カバー７はヒンジを介して本体上３に取り付けられた構造となっている。その結果、ミラー６は本体上３に対して起倒可能となっている。
なお、ミラー６が本体上３に対して起倒する際に、カバー７の突起７ａの両端が軸受部８ｂ，８ｂに摺接するように構成されている。その結果、ミラー６が本体上３に対して起倒する際に、軸受部８ｂ，８ｂの摺接する部分が抵抗として機能し、ミラー６が任意位置に保持される。また、ミラー６は、最大、ミラー面が斜め上を向く位置まで、起こすことができる。そして、ミラー６がこの位置を確実に保持できるように、この位置で、カバー７の突起部７ａの一面（ミラー６を閉じた際に露出する側の面）が軸受部材８の軸受部８ａの角部に当接されるようになっている。
また、ミラー６が閉じた際には、カバー７の外周部内側が突起物５に当接するようになっている。
【００１６】
次に、石鹸入れ１の使用方法について説明する。
本体上３は、普段は、本体下２に被せられ、本体下２に載せ置かれた石鹸を被覆している。
本体上３のルーペ４で文字等を読みたい場合には、本体上３を本体下２から取り外し、ミラー６を邪魔とならない位置まで起立させ、読みたい文字等が付されている物品に本体上３のルーペ４を当て或いは近付けるようにし、文字等を読む。
【００１７】
また、例えば髭を剃る場合には、石鹸入れ１の本体上３に対してミラー６を起立させる。そして、自分の顔が見える適当な場所に石鹸入れ１を置く。そして、ミラー６に映った顔を見ながら、髭剃りを行う。
【００１８】
また、使用後は、ミラー６を閉じて、所定の場所に石鹸入れ１を片付ける。
【００１９】
以上、本考案の実施形態を説明したが、本考案は、かかる実施形態に限定されるものではなく、その要旨を逸脱しない範囲で種々変形が可能であることはいうまでもない。
例えば、上記実施形態の石鹸入れ１では、石鹸入れ全体を矩形状としたが、円形状であっても良いことは勿論である。また、ミラーの形は円形状に限定されない。
また、ミラー６のミラー面の向きも上記実施形態に限定されるものではない。例えば、ミラー６を倒したときに、ミラー面が露出する向きにミラー６を取り付けても良い。
【図面の簡単な説明】
【００２０】
【図１】本実施形態の石鹸入れを示す斜視図である。
【図２】図１の石鹸入れの断面図である。
【図３】図１の石鹸入れの使用状態を示す斜視図である。
【図４】図１の石鹸入れの使用状態を示す断面図である。
【符号の説明】
【００２１】
１  石鹸入れ
２  本体下
３  本体上
４  ルーペ
５  突起物
６  ミラー
【図１】
0003137748.tif 000003
【図２】
0003137748.tif 000004
【図３】
0003137748.tif 000005
【図４】
0003137748.tif 000006